(57)【要約】【課題】  幅広い濃度範囲の検査対象を、一度の短時間で精度良く測定することができる検査対象受体を提供すること。【解決手段】  検査対象受体３は、溝１１の内部に複数の微細な突起部１３を有しているので、突起部１３のないものに比べ、抗原、抗体、検査対象等を短時間で固定化させることができる。また、溝１１において検査対象の移動方向に関して下流にいく程、突起部１３の表面積が多くなる様に形成されているので、検査対象が高濃度の場合でも溝１１の下流では、検査対象の検出強さ（発色の強さ）が飽和しない。そのことにより、検査対象を短時間で検出することが出来、幅広い濃度範囲での測定が可能となる。【選択図】  図２
2005257337.tif 000002
【特許請求の範囲】
【請求項１】
外部の回転体に取り付けることができる円盤状の本体部と、
前記本体部において中央部の周囲に放射状に配置された複数の溝と、
前記溝の内部に設けられた複数の突起部とを有することを特徴とする検査対象受体。
【請求項２】
外部の回転体に取り付けることができる検査対象受体であって、
検査対象を供給されるとともに、前記回転体の回転により生じる遠心力により前記検査対象を移動させるための被供給部と、
前記被供給部において、前記検査対象と接触する位置に設けられた突起部とを有することを特徴とする検査対象受体。
【請求項３】
前記被供給部は、溝から成ることを特徴とする請求項２に記載の検査対象受体。
【請求項４】
曲線状の溝を有することを特徴とする請求項３に記載の検査対象受体。
【請求項５】
ある部分における幅が、他の部分における幅よりも広い前記溝を有することを特徴とする請求項３又は４に記載の検査対象受体。
【請求項６】
前記検査対象の移動方向に関して下流にゆくほど幅が広くなっている前記溝を有することを特徴とする請求項３〜５のいずれかに記載の検査対象受体。
【請求項７】
前記溝の幅における変化が連続的であることを特徴とする請求項５又は６に記載の検査対象受体。
【請求項８】
前記突起部のうちの少なくとも一部は、前記溝の側面と一体に形成されていることを特徴とする請求項３〜７のいずれかに記載の検査対象受体。
【請求項９】
分岐した前記溝を有することを特徴とする請求項３〜８のいずれかに記載の検査対象受体。
【請求項１０】
前記溝が分岐する分岐点は、前記回転体の回転中心側であることを特徴とする請求項９に記載の検査対象受体。
【請求項１１】
複数の前記溝を有することを特徴とする請求項３〜１０のいずれかに記載の検査対象受体。
【請求項１２】
前記複数の溝は、放射状に形成されていることを特徴とする請求項１１に記載の検査対象受体。
【請求項１３】
前記回転体により回転する際の回転中心が、前記放射状に形成された複数の溝における中央にあることを特徴とする請求項１２に記載の検査対象受体。
【請求項１４】
少なくとも一部の前記溝は、前記回転体の半径方向に伸びる半径方向部と、前記半径方向部よりも下流側において前記回転体の周方向に伸びる周方向部とを有することを特徴とする請求項３〜１３のいずれかに記載の検査対象受体。
【請求項１５】
少なくとも一部の前記溝は、前記半径方向部と、前記周方向部とに加え、前記周方向部よりも下流側に、前記回転体の回転方向に伸びる第２半径方向部を有することを特徴とする請求項１４に記載の検査対象受体。
【請求項１６】
少なくとも一部の前記溝において、その溝の単位長さに含まれる前記突起部の表面積が、前記検査対象の移動方向に関して下流にゆくほど大きくなっていることを特徴とする請求項３〜１５のいずれかに記載の検査対象受体。
【請求項１７】
少なくとも一部の前記溝において、その溝の単位長さに含まれる前記突起部の数が、前記検査対象の移動方向に関して下流にゆくほど多くなっていることを特徴とする請求項３〜１７のいずれかに記載の検査対象受体。
【請求項１８】
少なくとも一部の前記溝において、前記突起部は、前記溝を形成する面に対して直交して突出していることを特徴とする請求項３〜１７のいずれかに記載の検査対象受体。
【請求項１９】
前記被供給部の深さが一定であることを特徴とする請求項２〜１８のいずれかに記載の検査対象受体。
【請求項２０】
前記検査対象の移動方向に関して下流にゆくほど深くなっている被供給部を有することを特徴とする請求項２〜１８のいずれかに記載の検査対象受体。
【請求項２１】
前記被供給溝の深さにおける変化が連続的であることを特徴とする請求項２０に記載の検査対象受体。
【請求項２２】
少なくとも一部の前記被供給部において、前記突起部の高さと、その突起部の位置における前記被供給部の深さとが正比例していることを特徴とする請求項２〜２１のいずれかに記載の検査対象受体。
【請求項２３】
少なくとも一部の前記被供給部において、その被供給部に設けられた突起部の表面積が一定であることを特徴とする請求項２〜２２のいずれかに記載の検査対象受体。
【請求項２４】
少なくとも一部の前記被供給部において、その被供給部に形成された前記突起部の形状が一定であることを特徴とする請求項２〜２３のいずれかに記載の検査対象受体。
【請求項２５】
円盤状に形成されていることを特徴とする請求項２〜２４のいずれかに記載の検査対象受体。
【請求項２６】
少なくとも一部の前記被供給部において、前記突起部同士の間隔が２〜８μｍの範囲にあることを特徴とする請求項２〜２５のいずれかに記載の検査対象受体。
【請求項２７】
少なくとも一部の前記被供給部において、前記突起部同士の間隔が０．３〜２μｍの範囲にあることを特徴とする請求項２〜２５のいずれかに記載の検査対象受体。
【請求項２８】
少なくとも一部の前記被供給部において、その被供給部に設けられた前記突起部は円筒形状を有することを特徴とする請求項２〜２７のいずれかに記載の検査対象受体。
【請求項２９】
少なくとも一部の前記被供給部において、前記突起部は、前記被供給部と一体に形成されていることを特徴とする請求項２〜２８のいずれかに記載の検査対象受体。
【請求項３０】
検査対象受体の認識及び／又は検査対象受体の回転における位相を認識するための基準部を有することを特徴とする請求項２〜２９のいずれかに記載の検査対象受体。
【請求項３１】
前記基準部は、検査対象受体本体と一体に形成されていることを特徴とする請求項３０に記載の検査対象受体。
【請求項３２】
請求項１〜３１のいずれかに記載の検査対象受体と、
前記検査対象受体と結合し、回転する回転体と、を有することを特徴とする検査装置。
【請求項３３】
請求項１〜３１のいずれかに記載の検査対象受体を用いる分子間相互作用の検査方法において、
前記被供給部に検査対象を供給する第１工程と、
前記回転体を回転させ、遠心力により前記検査対象を前記被供給部に沿って移動させる第２工程と、
前記検査対象を検出する第３工程と、を有することを特徴とする検査方法。
【請求項３４】
前記第３工程において、前記被供給部における複数の点で前記検査対象を検出し、前記被供給部内の位置に対する前記検査対象の検出量の分布を算出し、前記分布を用いて前記検査対象を定量することを特徴とする請求項３３記載の検査方法。
【請求項３５】
前記分布を示す規定線と、所定の基準線とによって画定される部分の面積に基づき、前記検査対象を定量することを特徴とする請求項３４記載の検査方法。
【請求項３６】
前記基準線が、前記回転体の回転軸の半径方向距離に関わる基準線と、前記検出量に関わる基準線とであることを特徴とする請求項３５記載の検査方法。
【請求項３７】
前記規定線の一部において、検出量が飽和している場合は、外挿により飽和していない修正規定線を算出し、当該修正規定線を用いて前記面積を画定することを特徴とする請求項３６記載の検査方法。
【請求項３８】
請求項１〜３７のいずれかに記載の検査対象受体を製造するための金型の製造方法において、リソグラフィーにより前記突起部を形成することを特徴とする金型の製造方法。
【請求項３９】
前記リソグラフィーにおいて、Ｘ線を用いることを特徴とする請求項３８記載の金型の製造方法。
【請求項４０】
請求項１〜３７のいずれかに記載の検査対象受体を製造するための金型の製造方法であって、前記金型を削り取りにより形成することを特徴とする金型の製造方法。
【請求項４１】
前記被供給部に検査対象を供給するための供給部分が、検査対象受体の中央において突部を有することを特徴とする請求項２〜３７のいずれかに記載の検査対象受体。
【請求項４２】
前記供給部分の突部と、前記突起部が設けられた領域との間は、前記突起部が設けられた領域よりも凹んでいることを特徴とする請求項４１に記載の検査対象受体。
【請求項４３】
前記供給部分の突部と、前記突起部が設けられた領域との間は、連続的に傾斜していることを特徴とする請求項４２に記載の検査対象受体。
【発明の詳細な説明】
【技術分野】
【０００１】
本発明は抗原抗体反応等の分子間相互作用を用いた検査を行うための検査対象受体、検査装置、及び検査方法に関する。
【背景技術】
【０００２】
近年、抗原または抗体を定量するために、酵素活性を標識として抗体または抗原と被測定物質の間で抗原抗体反応を追跡し、その結果に基づいて抗原または抗体を定量する酵素結合免疫吸着定量法（ＥＬＩＳＡ法：Enzyme-Linked Immunosorbent Assey）が主に医療またはバイオテクノロジーの分野で行われている。このＥＬＩＳＡ法の一つとして、生物発光、化学発光または蛍光を利用するものがある。これは、酵素標識抗原または抗体と基質とを反応させ、この酵素反応により生じる発光または蛍光を受光器で検出し、その強度を測定することにより行われる。
【０００３】
免疫測定用反応器として、マイクロプレートを用いた免疫測定では、まず、ウエル底部に、測定しようとする抗体に対応する抗原、抗原に対応する抗体を固相化した後、測定しようとする抗体または抗原を含むサンプルを添加して、抗原抗体反応を起こさせる。ついで、標識抗原または標識抗体を添加し、未吸着の標識抗原または標識抗体を洗浄後、基質液を添加して、酵素基質反応を起こさせて、このとき発生する酵素活性を吸光光度や蛍光光度法等で測定することにより抗原または抗体を定量する。
【０００４】
免疫測定において、遠心力を利用したものとして特許文献１がある。また、免疫測定の他の方法として、イムノクロマト法による簡易キットを用いる方法が知られている。
【特許文献１】特開平５−５７４１号公報
【発明の開示】
【発明が解決しようとする課題】
【０００５】
しかしながら、従来のＥＬＩＳＡ法では、大がかりな装置が必要であること、検査に数時間を要すること、検査を行う上でノウハウが必要であること等の問題があった。また、イムノクロマト法による簡便キットでは、定量性に乏しいこと、感度が良くないこと、サンプル液の純度に測定結果が大きな影響を受けてしまうという問題があった。
【０００６】
本発明は以上の点に鑑みなされたものであり、コンパクトで、測定が容易であり、高感度な測定が可能であり、測定時間が短くて済む検査対象受体、検査装置、及び検査方法を提供することを目的とする。
【課題を解決するための手段】
【０００７】
（１）請求項１の発明は、
外部の回転体に取り付けることができる円盤状の本体部と、前記本体部において中央部の周囲に放射状に配置された複数の溝と、前記溝の内部に設けられた複数の突起部とを有することを特徴とする検査対象受体を要旨とする。
【０００８】
本発明の検査対象受体は、溝の内部に複数の突起部を有している。この複数の突起部は表面積が大きいので、溝の内部に検査対象を供給すると、検査対象と突起部との接触面積が大きくなり、検査対象を多く吸着させることができる。そのため、本発明の検査対象受体を用いれば、検査対象を感度良く検査することができる。
【０００９】
また、本発明の検査対象受体を外部の回転体に取り付け、溝の内周側に検査対象を供給した状態で検査対象受体を回転させると、溝内の検査対象には遠心力がかかり、溝の外周方向に向けて押される。押された検査対象は、複数の突起部にぶつかりながら、それらの間を通過する。このとき、検査対象は、突起部間の狭い隙間を通過することにより、突起部に効率よく吸着する。従って、本発明に依れば、短時間で検査対象を検査対象受体に吸着させることができ、検査を短時間で行うことができる。
【００１０】
溝の外周端は開放しておき、遠心力により押された検査対象が流れ出るようにしてもよい。また、溝の外周端付近に液溜まりを設けて、そこに検査対象を溜めてもよい。
（２）請求項２の発明は、
外部の回転体に取り付けることができる検査対象受体であって、検査対象を供給されるとともに、前記回転体の回転により生じる遠心力により前記検査対象を移動させるための被供給部と、前記被供給部において、前記検査対象と接触する位置に設けられた突起部とを有することを特徴とする検査対象受体を要旨とする。
【００１１】
本発明の検査対象受体は、平坦な部分に比べて表面積が大きい突起部を被供給部に備えている。そのため、被供給部に検査対象を供給すると、検査対象と突起部との接触面積が大きくなり、突起部に検査対象を多く吸着させることができる。そのため、本発明の検査対象受体を用いれば、検査対象を感度良く検査することができる。
【００１２】
また、検査対象受体を外部の回転体に取り付け、被供給体に検査対象を供給した状態で検査対象受体を回転させると、被供給体内の検査対象には遠心力がかかり、外周方向に向けて押され、突起部にぶつかりながら移動する。このとき、検査対象は、突起部にぶつかることにより、突起部に効率よく吸着する。従って、本発明に依れば、短時間で検査対象を検査対象受体に吸着させることができ、検査を短時間で行うことができる。
（３）請求項３の発明は、
前記被供給部は、溝から成ることを特徴とする請求項２に記載の検査対象受体を要旨とする。
【００１３】
本発明では被供給部が溝であるので、検査対象は溝の中に供給される。そのため、検査対象を検出するための試薬は溝の中のみに塗布すればよいので、使用する試薬の量が少なくて済む。また、突起部は溝の中のみに形成すればよいので、検査対象受体の製造が容易である。
（４）請求項４の発明は、
曲線状の溝を有することを特徴とする請求項３に記載の検査対象受体を要旨とする。
【００１４】
本発明では溝が曲線状に形成されているので、溝の全長を長くすることができる。溝の全長が長いことにより、例えば、次のようにして検査対象を定量することができる。すなわち、溝における複数の点で検査対象を検出し、溝の各位置に対する検査対象の検出量の分布を算出し、その分布を用いて検査対象を定量することができる。
（５）請求項５の発明は、
ある部分における幅が、他の部分における幅よりも広い前記溝を有することを特徴とする請求項３又は４に記載の検査対象受体を要旨とする。
【００１５】
本発明では、溝幅の広い部分に、例えば突起部を多数形成し、検査対象を多量に吸着させることができる。従って、溝幅の広い部分において検査対象を正確に検出することができる。
（６）請求項６の発明は、
前記検査対象の移動方向に関して下流にゆくほど幅が広くなっている前記溝を有することを特徴とする請求項３〜５のいずれかに記載の検査対象受体を要旨とする。
【００１６】
本発明では、溝の下流側にある溝幅の広い部分に、例えば突起部を多数形成し、検査対象を多量に吸着させることができる。そのため、検査対象の量が多い場合でも、検査対象を希釈することなく、検出することができる。
（７）請求項７の発明は、
前記溝の幅における変化が連続的であることを特徴とする請求項５又は６に記載の検査対象受体を要旨とする。
【００１７】
本発明では溝の幅における変化が連続的であるので、検査対象は溝の中をスムーズに流れ、突起部への吸着ムラが生じない。
（８）請求項８の発明は、
前記突起部のうちの少なくとも一部は、前記溝の側面と一体に形成されていることを特徴とする請求項３〜７のいずれかに記載の検査対象受体を要旨とする。
【００１８】
本発明では、突起部のうちの少なくとも一部が溝の側面と一体に形成されているので、突起部が溝の側面と独立している場合に比べて、検査対象を多く、効率よく吸着させることができる。
【００１９】
また、本発明によれば、溝の側面と一体に形成された突起部があるので、溝の両端付近（側面に近い部分）に突起部が設けられていない場合とは異なり、検査対象が溝の両端付近を優先的に流れてしまい、突起部に十分吸着されなくなってしまうようなことがない。
（９）請求項９の発明は、
分岐した前記溝を有することを特徴とする請求項３〜８のいずれかに記載の検査対象受体を要旨とする。
【００２０】
本発明における溝は、例えば、上流側では２以上に分かれている溝が、ある場所（分岐点）において合流し、下流側では一つ溝となっているものがある。この場合、例えば、上流側にある２以上の溝のうちの１つに検査対象を供給し、他の溝に試薬を供給することができる。すると、検査対象と試薬とは分岐点において合流し、分岐点より下流側の溝において検査対象を検出することができる。
【００２１】
また、本発明の溝は、例えば、上流側では一本の溝であるとともに、分岐点にて２以上に分岐し、下流側では２以上の溝を有するものであってもよい。この場合は、例えば、上流にある一本の溝に供給した検査対象が下流にて２以上の溝に分かれるので、それぞれの溝で検査を行うことができる。
（１０）請求項１０の発明は、
前記溝が分岐する分岐点は、前記回転体の回転中心側であることを特徴とする請求項９に記載の検査対象受体を要旨とする。
【００２２】
本発明における溝は、回転体の回転中心側（溝の長手方向における中点よりも、回転中心に近い側）で分岐しているので、反応初期に試薬を入れることが可能である。つまり、分岐点より上流側に２以上の溝があり、それらのうちの一方に検出対象を供給し、他の溝に試薬を供給した場合、分岐点は上記のように分岐点は回転中心側（すなわち上流側）にあるので、検査対象と試薬とは初期において混合され、反応が起こる。そのことにより、試薬が変化し易いものであっても正確に検出を行うことができる。
（１１）請求項１１の発明は、
複数の前記溝を有することを特徴とする請求項３〜１０のいずれかに記載の検査対象受体を要旨とする。
【００２３】
本発明の検査対象受体は複数の溝を有しているので、例えば、複数の溝にそれぞれ別の検査対象を供給すれば、それぞれの検査対象を同時に検出することができる。
（１２）請求項１２の発明は、
前記複数の溝は、放射状に形成されていることを特徴とする請求項１１に記載の検査対象受体を要旨とする。
【００２４】
本発明の検査対象受体では複数の溝が放射状に形成されているので、回転体の回転中心が放射状の溝の中心となるようにすれば、それぞれの溝内の検査対象には遠心力が均一にかかる。そのことにより、それぞれの溝において同条件で検査対象の検出を行うことができる。
（１３）請求項１３の発明は、
前記回転体により回転する際の回転中心が、前記放射状に形成された複数の溝における中央にあることを特徴とする請求項１２に記載の検査対象受体を要旨とする。
【００２５】
本発明の検査対象受体では複数の溝が放射状に形成されており、回転体の回転中心が放射状の溝の中央にあるので、それぞれの溝内の検査対象には遠心力が均一にかかる。そのことにより、それぞれの溝において同条件で検査対象の検出を行うことができる。
（１４）請求項１４の発明は、
少なくとも一部の前記溝は、前記回転体の半径方向（検査対象受体を回転体に取り付けた際に、回転体の回転における半径方向となる方向）に伸びる半径方向部と、前記半径方向部よりも下流側において前記回転体の周方向（検査対象受体を回転体に取り付けた際に、回転体の回転における周方向となる方向）に伸びる周方向部とを有することを特徴とする請求項３〜１３のいずれかに記載の検査対象受体を要旨とする。
【００２６】
本発明における溝は半径方向部と周方向部とを有しているので、その全長が長い。そのことにより、検査対象の吸着量を多くすることができ、検査対象を高感度に検出することができる。
（１５）請求項１５の発明は、
少なくとも一部の前記溝は、前記半径方向部と、前記周方向部とに加え、前記周方向部よりも下流側に、前記回転体の回転方向に伸びる第２半径方向部を有することを特徴とする請求項１４に記載の検査対象受体を要旨とする。
【００２７】
本発明における溝は半径方向部、周方向部、及び第２半径方向部を有しているので、その全長が長い。そのことにより、検査対象の吸着量を多くすることができ、検査対象を高感度に検出することができる。
（１６）請求項１６の発明は、
少なくとも一部の前記溝において、その溝の単位長さに含まれる前記突起部の表面積が、前記検査対象の移動方向に関して下流にゆくほど大きくなっていることを特徴とする請求項３〜１５のいずれかに記載の検査対象受体を要旨とする。
【００２８】
本発明では、溝の単位長さに含まれる突起部の表面積が、検査対象の移動方向に関して下流にゆくほど大きくなっているので、下流では多量の検査対象を突起部に吸着させることができる。そのことにより、検査対象が高濃度である場合でも測定可能である。
（１７）請求項１７の発明は、
少なくとも一部の前記溝において、その溝の単位長さに含まれる前記突起部の数が、前記検査対象の移動方向に関して下流にゆくほど多くなっていることを特徴とする請求項３〜１７のいずれかに記載の検査対象受体を要旨とする。
【００２９】
本発明では、溝の単位長さに含まれる突起部の数が下流にゆくほど多くなっているので、溝の単位長さに含まれる突起部の表面積も下流に行くほど大きくなっている。そのため、溝の下流では多量の検査対象を突起部に吸着させることができ、検査対象が高濃度である場合でも測定可能である。
（１８）請求項１８の発明は、
少なくとも一部の前記溝において、前記突起部は、前記溝を形成する面に対して直交して突出していることを特徴とする請求項３〜１７のいずれかに記載の検査対象受体を要旨とする。
【００３０】
本発明の検査対象受体は突起部が溝を形成する面に対して直交しているので金型を用いた製造が可能で、生産性が良好である。
（１９）請求項１９の発明は、
前記被供給部の深さが一定であることを特徴とする請求項２〜１８のいずれかに記載の検査対象受体を要旨とする。
【００３１】
本発明では、被供給部の深さが一定であることにより、その被供給部の中にある検査対象の深さも一定となるので、透過光を用いて検出対象を検出する場合に、検査対象を深さに対する補正なく簡便に検出することができる。
（２０）請求項２０の発明は、
前記検査対象の移動方向に関して下流にゆくほど深くなっている被供給部を有することを特徴とする請求項２〜１８のいずれかに記載の検査対象受体を要旨とする。
【００３２】
本発明では、被供給部の下流にゆくほど被供給部の深さが深くなっているので、例えば、被供給部の下流には高い突起部を設け、突起部の表面積を大きくすることができる。そのことにより、検査対象が高濃度である場合でも、検査対象を希釈することなく、検出することができる。
（２１）請求項２１の発明は、
前記被供給溝の深さにおける変化が連続的であることを特徴とする請求項２０に記載の検査対象受体を要旨とする。
【００３３】
本発明では被供給部の深さにおける変化が連続的であるので、検査対象は被供給部の中をスムーズに流れ、突起部への吸着ムラが生じない。
（２２）請求項２２の発明は、
少なくとも一部の前記被供給部において、前記突起部の高さと、その突起部の位置における前記被供給部の深さとが正比例していることを特徴とする請求項２〜２１のいずれかに記載の検査対象受体を要旨とする。
【００３４】
本発明では、突起部の高さと、その突起部の位置における被供給部の深さが正比例しているので、例えば、被供給部の深さに応じ、突起部の高さを被供給部の上方にまで至るようにすることができる。そのことにより、検査対象が突起部の上を乗り越えて移動するようなことがないので、検査対象を効率よく突起部に吸着させることができる。その結果として、本発明を用いれば正確に検査対象を検出できる。
【００３５】
また、被供給部の深さに応じ、突起部の高さを被供給部から突き出さないようにできるので、被供給部に蓋を被せることができる。そのことにより、被供給部から検出対象がこぼれることを防止できる。
（２３）請求項２３の発明は、
少なくとも一部の前記被供給部において、その被供給部に設けられた突起部の表面積が一定であることを特徴とする請求項２〜２２のいずれかに記載の検査対象受体を要旨とする。
【００３６】
本発明では突起部の表面積が一定であるので、突起部１個あたりに吸着する検査対象の吸着量は一定である。そのため、突起部の数に基づいて検査対象の吸着量を算出し、検査対象を定量することができる。
（２４）請求項２４の発明は、
少なくとも一部の前記被供給部において、その被供給部に形成された前記突起部の形状が一定であることを特徴とする請求項２〜２３のいずれかに記載の検査対象受体を要旨とする。
【００３７】
本発明では突起部の形状が一定であるので、突起部一個あたりの表面積も一定であり、突起部１個あたりに吸着する検査対象の吸着量は一定である。そのため、突起部の数に基づいて検査対象の吸着量を算出し、検査対象を定量することができる。
（２５）請求項２５の発明は、
円盤状に形成されていることを特徴とする請求項２〜２４のいずれかに記載の検査対象受体を要旨とする。
【００３８】
本発明の検査対象受体は円盤状であることにより、回転した際に、被供給部内の検査対象に遠心力がかかり易く、検査対象を迅速に移動させることができる。そのため、本発明の検査対象受体を用いれば検査に要する時間が短くて済む。
【００３９】
更に、本体が円盤状であることにより、被供給部を形成することができないデッドスペースが少なく出来、効率が良い。そのため、本発明の検査対象受体は小型軽量化することができ、また、製造コストが少なくて済む。
（２６）請求項２６の発明は、
少なくとも一部の前記被供給部において、前記突起部同士の間隔が２〜８μｍの範囲にあることを特徴とする請求項２〜２５のいずれかに記載の検査対象受体を要旨とする。
【００４０】
本発明では突起部同士の間隔が８μｍ以下であるので、突起部がフィルターとして機能し、８μｍより大きい白血球の好中球、好酸球、好塩基球、単球等を除去することができる。
また、突起部同士の間隔が２μｍ以上であるので、それより小さい成分が詰まってしまうことがない。
（２７）請求項２７の発明は、
少なくとも一部の前記被供給部において、前記突起部同士の間隔が０．３〜２μｍの範囲にあることを特徴とする請求項２〜２５のいずれかに記載の検査対象受体を要旨とする。
【００４１】
本発明では突起部同士の間隔が２μｍ以下であるので、突起部がフィルターとして機能し、２μｍより大きい赤血球、異物を貪食している白血球、血小板、血球等を除去することができる。
また、突起部同士の間隔が０．３μｍ以上であるので、それより小さい成分が詰まってしまうことがない。
（２８）請求項２８の発明は、
少なくとも一部の前記被供給部において、その被供給部に設けられた前記突起部は円筒形状を有することを特徴とする請求項２〜２７のいずれかに記載の検査対象受体を要旨とする。
【００４２】
本発明の検査対象受体は、突起部の形状が円筒形状であるので製造が容易である。
（２９）請求項２９の発明は、
少なくとも一部の前記被供給部において、前記突起部は、前記被供給部と一体に形成されていることを特徴とする請求項２〜２８のいずれかに記載の検査対象受体を要旨とする。
【００４３】
本発明の検査対象受体は、突起部が被供給部と一体に形成されているので、突起部を単独加工する時間が不要となり、製造が容易である。
（３０）請求項３０の発明は、
検査対象受体の認識及び／又は検査対象受体の回転における位相を認識するための基準部を有することを特徴とする請求項２〜２９のいずれかに記載の検査対象受体を要旨とする。
【００４４】
本発明の検査対象受体は基準部を有しているので、複数の検査対象受体を用いる場合でも、基準部を用いて特定の検査対象受体を容易に識別することができる。
また、検査対象受体を回転させた場合に、基準部の位置に基づいて、個々の被供給部を識別することができる。
（３１）請求項３１の発明は、
前記基準部は、検査対象受体本体と一体に形成されていることを特徴とする請求項３０に記載の検査対象受体を要旨とする。
【００４５】
本発明の検査対象受体では基準部が一体に形成されているので製造が容易である。
（３２）請求項３２の発明は、
請求項１〜３１のいずれかに記載の検査対象受体と、前記検査対象受体と結合し、回転する回転体と、を有することを特徴とする検査装置を要旨とする。
【００４６】
本発明の検査装置を用いることにより、検査対象を感度良く、且つ迅速に検出することができる。
また、本発明の検査装置は小型軽量化することが可能である。
（３３）請求項３３の発明は、
請求項１〜３１のいずれかに記載の検査対象受体を用いる分子間相互作用の検査方法において、前記被供給部に検査対象を供給する第１工程と、前記回転体を回転させ、遠心力により前記検査対象を前記被供給部に沿って移動させる第２工程と、前記検査対象を検出する第３工程と、を有することを特徴とする検査方法を要旨とする。
【００４７】
本発明の検査方法は、請求項１〜３１のいずれかに記載の検査対象受体を用いることにより、検査対象を感度良く、且つ迅速に検出することができる。
（３４）請求項３４の発明は、
前記第３工程において、前記被供給部における複数の点で前記検査対象を検出し、前記被供給部内の位置に対する前記検査対象の検出量の分布を算出し、前記分布を用いて前記検査対象を定量することを特徴とする請求項３３記載の検査方法を要旨とする。
【００４８】
本発明の検査方法では、被供給部内の位置に対する検査対象の検出量の分布を用いて定量を行うので、検査対象の濃度に関して測定可能な幅が広い。
そのため、検査対象の濃度に応じて希釈する必要がなく、容易且つ迅速に検出を行うことができる。
（３５）請求項３５の発明は、
前記分布を示す規定線と、所定の基準線とによって画定される部分の面積に基づき、前記検査対象を定量することを特徴とする請求項３４記載の検査方法を要旨とする。
【００４９】
本発明は、上記のように画定した面積をを用いて定量を行うので、検査対象の濃度に関して測定可能な幅が広い。
そのため、検査対象の濃度に応じて希釈する必要がなく、容易且つ迅速に検出を行うことができる。
（３６）請求項３６の発明は、
前記基準線が、前記被供給体における距離に関わる基準線と、前記検出量に関わる基準線とであることを特徴とする請求項３５記載の検査方法を要旨とする。
【００５０】
本発明では、基準線を上記のものとすることにより、検査対象を正確に定量することができる。
（３７）請求項３７の発明は、
前記規定線の一部において、検出量が飽和している場合は、外挿により飽和していない修正規定線を算出し、当該修正規定線を用いて前記面積を画定することを特徴とする請求項３６記載の検査方法を要旨とする。
【００５１】
本発明では、規定線の一部において検出量が飽和している場合でも、検出対象を正確に定量することができる。
（３８）請求項３８の発明は、
請求項１〜３７のいずれかに記載の検査対象受体を製造するための金型の製造方法において、リソグラフィーにより前記突起部を形成することを特徴とする金型の製造方法を要旨とする。
【００５２】
本発明ではリソグラフィーを用いて金型を製造するので、検査対象受体における突起部が微細な形状を有する場合でも、その形状に正確に対応した金型を製造できる。そのため、本発明の金型の製造方法を用いることにより、請求項１〜３７のいずれかに記載の検査対象受体を正確に製造することができる。
（３９）請求項３９の発明は、
前記リソグラフィーにおいて、Ｘ線を用いることを特徴とする請求項３８記載の金型の製造方法を要旨とする。
【００５３】
本発明では、Ｘ線を用いたリソグラフィーにより金型（特に突起部に対応する部分）を製造するので、検査対象をより多く吸着させる為に、アスペクト比（突起部を構成する円筒における高さ／径）が高く、且つ微細な突起部を高密度に形成することが可能となる。
（４０）請求項４０の発明は、
請求項１〜３７のいずれかに記載の検査対象受体を製造するための金型の製造方法であって、前記金型を削り取りにより形成することを特徴とする金型の製造方法を要旨とする。
【００５４】
本発明によれば、安価に金型を製造することができる。
（４１）請求項４１の発明は、
前記被供給部に検査対象を供給するための供給部分が、検査対象受体の中央において突部を有することを特徴とする請求項２〜３７のいずれかに記載の検査対象受体を要旨とする。
【００５５】
本発明では、被供給部に検査対象を供給するための供給部分が、検査対象の中央において突部を有するので、供給部分に供給された検査対象が検査対象受体の回転中心となる部分からずれ、その検査対象受体の回転による遠心力が検査対象に作用して、検査対象が確実に移動されることができる。
（４２）請求項４２の発明は、
前記供給部分の突部と、前記突起部が設けられた領域との間は、前記突起部が設けられた領域よりも凹んでいることを特徴とする請求項４１に記載の検査対象受体を要旨とする。
【００５６】
本発明では、供給部分の突部と、突起部が設けられた領域との間は、突起部が設けられた領域よりも凹んでいるので、供給部分に供給された検査対象がその凹んだ部分に溜まり、そこに全く凹みがない構成に比べ、十分な量の検査対象をその供給部に供給できる。
（４３）請求項４３の発明は、
前記供給部分の突部と、前記突起部が設けられた領域との間は、連続的に傾斜していることを特徴とする請求項４２に記載の検査対象受体を要旨とする。
【００５７】
本発明では、供給部分の突部と、突起部が設けられた領域との間が連続的に傾斜しているので、供給部分の突部と、突起部が設けられた領域との間に段差が形成された構成に比べ、供給部分に供給された検査対象が遠心力によって移動される際に、円滑に検査対象を移動させることができる。
【発明を実施するための最良の形態】
【００５８】
本発明を実施するための最良の形態を実施例を用いて説明する。
【実施例１】
【００５９】
ａ）まず、本実施例１における検査装置の構成を図１〜図３を用いて説明する。ここで、図１は検査装置の回転部の一部の側面図であり、図２（ａ）は検査対象受体の平面図であり、図２（ｂ）は図１（ａ）におけるＡ−Ａ断面での断面図であり、図３（ａ）は検査対象受体の溝内に形成された突起部の一部を上面から撮影した写真であり、図３（ｂ）は突起部を斜めから撮影した写真である。
【００６０】
検査装置１は、図１に示すように、ポリスチレン樹脂から成る検査対象受体３と、回転部５とから成る。そして、検査対象受体３は、図２に示すように、直径が６０ｍｍｍ、厚み２ｍｍである円盤状の本体部７と、本体部７の片方の面である上面７ａの中心に設けられた液溜まり（中央部、供給部分）９と、本体部７の上面７ａにおいて液溜まり９の外側から本体部７の外周端にかけて放射状に複数形成された溝（被供給部）１１と、溝１１の内部に立設された円筒状の突起部１３とを備えている。液溜まり９の中央には、突部９ａが形成され、その突部９ａの周囲には溝１１よりも深い凹部９ｂが形成され、その凹部９ｂに検査対象（血液等）が供給される。凹部９ｂは連続したなだらかな傾斜を有し、液溜まり９と溝１１とはつながっている。この凹部９ｂによって検査に必要な液量を溜められるように構成されている。
【００６１】
上記溝１１は、上方が開口した断面が略長方形の溝であり、本体部７の中心側から外周側にまで、曲線状に形成されている。この溝１１の曲線は、図２（ａ）に示すように、本体部７の中心をＡとし、溝１１長手方向に沿ってその中央を通る直線Ｌ上の任意の点をＢとした場合に、ＡＢを通る直線と、ＢにおけるＬの接線（つまりＢにおける溝１１の進行方向）との成す角度θについて、下記式（１）が常に成立するようになっている。ここで、Ｋは定数であり、ｒはＡとＢとの距離、ωは検査対象受体３を回転体５に取り付けて回転させる際の角速度である。
【００６２】
式（１）  cosθ＝Ｋ／ｒω2
また、溝１１の幅は、図２（ａ）に示すように、本体部７の外周端に近づくほど連続的に広くなり、溝１１の深さは、図２（ｂ）に示すように、本体部７の外周端に近づくほど連続的に深くなっている。この溝１１の深さは、本体部７の内周端付近では０．３ｍｍであり、外周端付近では０．５ｍｍである。
【００６３】
尚、溝１１の外周端は開放しておき、遠心力により押された検査対象が流れ出るようにしてもよい。また、溝１１の外周端付近に液溜まりを設けて、そこに検査対象を溜めてもよい。
【００６４】
上記突起部１３は、図３に示すように直径が３０μｍである円筒状の形状を有しており、溝１１の底面１１ａに、上方（本体部７の上面７ａに直交する方向）に突出する方向に立設されている。
【００６５】
この突起部１３は、溝１１の底面１１ａの全面にわたって規則正しく一定の間隔で配列されており、隣接する突起部１３同士の間隔は３０μｍである。尚、溝１１の幅は上記のように外周端に近づくほど広くなっており、突起部１３同士の間隔は一定であるので、溝１１の単位長さに含まれる突起部１３の数は、溝１１の外周端に近づくほど多くなる。尚、この突起部１３と突部９ａとは、その上端が同水平面となるように、即ち、同じ高さになるように形成されている。リソグラフィーによる検査対象受体３の製造に適しているからである。
【００６６】
また、突起部１３の高さは、その突起部１３が形成されている位置における溝１１の深さと一致している。従って、突起部１３の上端は、本体部７において溝１１が形成されていない部分である堤部７ｂの上面と同一平面となっている。ここで、溝１１の深さは上述したように外周にゆくほど深くなっているので、突起部１３の高さも、本体部７の外周にゆくほど高くなっている。それに伴って、突起部１３の一個あたりの表面積も、本体部７の外周にゆくほど大きくなっている。
【００６７】
検査対象受体３にて溝１１同士の間を仕切っている堤部７ｂのうちの一つには、その外周端付近に凸部である基準部１４が形成されている。この基準部１４は、個々の検査対象受体３ごとに、異なる形状のものが形成されている。
【００６８】
また、検査対象受体３は、本体部７と同じ大きさの円盤形状を有しており、その中心には孔３５ａが設けられているカバー３５を備えている（図１２参照）。このカバー３５は、本体部７の上面７ａに接合される。このとき、カバー３５の中心に設けられた孔３５ａは、液溜まり９の上方に位置する。そのため、この孔３５ａを介して、液溜まり９に検査対象を供給できる。検査対象受体３は、カバー３５により溝１１が覆われることにより、溝１１から検査対象が漏れることを防止できる。
【００６９】
検査装置１を構成する回転部５は、図１に示すように、チャック部１５と、チャック部１５の下面中央に取り付けられた回転軸１７と、回転軸１７を回転駆動する回転モーター１９と、回転軸１７を軸支する軸受け２１と、軸受け２１に取り付けられたカバー部２３とを有している。そして、上記チャック部１５の上面には、図示しない開口部が形成され、その開口部は図示しない吸引ポンプと連通しており、吸引ポンプが吸引することにより、本体部７の下面７ｃとチャック部１５の上面１５ｂが相対移動不可能に密着する。すなわち、チャック部１５及び検査対象３とが一体に回転する。
【００７０】
検査対象受体３をチャック部１５に固定した状態で回転モータ１９を駆動すると、検査対象受体３は回転軸１７を回転中心として回転する。このとき、検査対象受体３において回転中心となるのは液溜まり９あたりである。
【００７１】
ｂ）次に、本実施例１の検査対象受体３を製造する方法を説明する。
まず、検査対象受体３の形状に対応した金型を周知のリソグラフィー技術を用いて製造する。具体的には、まず、導電性がある基材にレジストを塗布し、レジスト層を形成し、レジストの表面を、検査対象受体３の形状に対応した傾斜勾配のついたマスクで覆い、紫外線で露光する。次に、露光されたレジストを現像し、現像されたレジストを金型材料で電鋳する。最後に、レジストと基材とを除去することにより金型が製造される。
【００７２】
そして、射出成形法を用いて検査対象受体３を製造する。つまり、ポリスチレン樹脂を射出成形機のシリンダー内でで溶融加熱し、金型に射出して充填し、冷却固化して成形して、検査対象受体３を得る。
【００７３】
次に、検査対象受体３と同じ材質のポリスチレン樹脂のフィルムであって、液溜まり９の上面に対応する部分が切り欠かれているフィルム及び検査対象受体３を加熱し、本体部７の上面７ａに接合して、カバー３５を形成し、検査対象受体３を完成した。材料は、他の樹脂や、シリコンゴム等であって、接合できればよい。尚、カバー３５の接合方法は、熱溶着の他に、超音波溶着、接着剤による接着、又は圧着であっても溝１１からの液漏れがなければよい。
【００７４】
ｃ）次に、本実施例１の検査装置１を用いる検査方法を説明する。
(i)検査対象受体３への抗体の固定
まず、検査対象受体３の溝１１に、Goat由来のトランスフェリン抗体の炭酸ナトリウム緩衝溶液（０．０５Ｍ、ｐＨ９．６、１００μｇ／ｍｌ）３０μｌを流した。具体的には、検査対象受体３を図１に示すように回転部５に取り付け、溝１１の内周側にある液溜まり９に、上記Goat由来のトランスフェリン抗体の炭酸ナトリウム緩衝溶液を注入する。次に、検査対象受体３を１５０〜１５、０００ｒｐｍの回転数で回転させる。すると、溝１１の内周側に供給された上記の溶液は遠心力により、溝１１の中を外側に向けて流れ、溝１１の外周端にまで達する。そして、この溝１１の端部は開口しており、検査対象受体３の外部に連通している。従って、この開口から、検査対象や試薬が検査対象受体３の外部へ排出される。その後、検査対象受体３の回転を停止する。尚、以下の工程において、他の溶液や洗浄液を溝１１に流す場合にも、ここで述べた方法を用いる。
【００７５】
次に、溝１１からトランスフェリン抗体の炭酸ナトリウム緩衝溶液を除いてから、溝１１に、ブロッキング液（５０mM  Tris、０．１４ＭＮａＣｌ、１％ＢＳＡ、ｐＨ８．０）３０μｌを流した。ここまでの工程で、溝１１内の突起部１３の表面には、抗体が固定される。その後、溝１１に洗浄液（５０mM  Tris、０．１４ＭＮａＣｌ、０．０５％、Tween２０、ｐＨ８．０）を２回流して洗浄する。
【００７６】
(ii)検査対象の抗原−抗体反応による捕捉
ここでは、検査対象をトランスフェリンとする。トランスフェリンのトリス緩衝食塩水（５０mM  Tris、０．１４ＭＮａＣｌ、１％ＢＳＡ、０．０５％  Tween２０、ｐＨ８．０）を濃度２５０ｎｇ／ｍｌに調製してなる溶液３０μｌを溝１１の内周側に供給する（第１工程）。次に、検査対象受体３を１５０〜１５、０００ｒｐｍの回転数で回転させ、溝１１の内周側に供給された上記の溶液を、溝１１の外周端にまで移動させる（第２工程）その後、検査対象受体３の回転を停止する。この工程により、突起部１３に固定された抗体がトランスフェリンを捕捉する。その後、溝１１に洗浄液（５０mM  Tris、０．１４ＭＮａＣｌ、０．０５％、Tween２０、ｐＨ８．０）を２回流して洗浄する。
【００７７】
(iii)標識された抗体の結合
ＨＲＰ標識されたGoat由来のトランスフェリン抗体をトリス緩衝食塩水（５０mM  Tris、０．１４ＭＮａＣｌ、１％ＢＳＡ、０．０５％  Tween２０、ｐＨ８．０）で濃度５００ｎｇ／ｍｌに調製した溶液３０μｌを溝１１に流す。この工程において抗原−抗体反応により、上記(ii)で捕捉されたトランスフェリンに、Goat由来のトランスフェリン抗体が結合する。その後、溝１１に洗浄液（５０mM  Tris、０．１４ＭＮａＣｌ、０．０５％、Tween２０、ｐＨ８．０）を３回流して洗浄する。
【００７８】
(iv)検査対象の定量
基質溶液としてＡＢＴＳのリン酸−クエン酸溶液（０．０５Ｍリン酸ナトリウム、０．０５Ｍクエン酸、０．０５％過酸化水素）を溝１１に流し、検査対象であるトランスフェリンを発色させる。
【００７９】
その後、図４（ａ）に示すように、溝１１の内周側から外周側にかけて定めた複数の位置Ｍ１〜Ｍ１２において、画像をスキャナーで取り込み、暗度解析ソフトにより発色の度合いを数値化する（第３工程）。そして、溝１１内の位置に対する発色の度合い（検査対象の検出量）の分布を算出する。図４（ｂ）は、この分布を示すグラフであり、溝１１内での位置と、発色の強さとの関係を示している。ここで、図４（ｂ）における曲線（規定線）は、検査対象の量に応じて変化する。つまり、検査対象の量が多い場合は、図４（ｂ）のグラフにおけるＳ１の曲線のように、内周側（たとえばＭ１〜４）では検出量が飽和しており、外周側にゆくにつれて検出量が減少してゆく。検査対象の量が減少するにつれて、曲線は、順に、Ｓ３、Ｓ２、Ｓ１のようになる。これらの曲線では、検出量の飽和している部分はなく、外周側にゆくにつれて、検出量は徐々に減少する。
【００８０】
次に、この図４（ｂ）のように作成したグラフを用いて、検査対象を定量する。つまり、図５（ａ）に示すように、検査対象の検出量についての分布を示す規定線と、溝１１内における位置に対応する横軸（被供給体における距離に関わる基準線）と、発色の強さに対応する縦軸であって測定の開始点Ｍ１を通るもの（検出量に関わる基準線）と、発色の強さに対応する縦軸であって測定の終了点Ｍ１２を通るもの（検出量に関わる基準線）とによって囲まれる（画定される）部分（図５（ａ）における斜線部）の面積を算出する。
【００８１】
尚、図５（ａ）のように、位置Ｍ１２において発色が検出されなかった場合、画定する面積は、検査対象の検出量についての分布を示す規定線と、溝１１内における位置に対応する横軸（被供給体における距離に関わる基準線）と、発色の強さを示す縦軸であって測定の開始点Ｍ１を通るもの（検出量に関わる基準線）とによって囲まれる面積となる。
【００８２】
そして、この面積に検査対象の量を対応させ、検査対象を定量する。尚、上記面積は、溝１１内の各位置における発色の強さ（検査対象の量に対応するパラメータ）を、各位置について積分した値であるので、検査対象の量に対応している。
【００８３】
尚、図４（ｂ）における曲線Ｓ１のように、溝１１の内周側において発色の強さが飽和している場合は、図５（ｂ）に示すように、曲線のうち飽和していない部分に基づいて外挿を行い、発色の強さについて飽和していない場合の修正規定線を算出する。そして、この修正規定線と、溝１１内における位置に対応する横軸と、発色の強さに対応する縦軸であって測定の開始点Ｍ１を通るもの（検出量に関わる基準線）と、発色の強さに対応する縦軸であって測定の終了点Ｍ１２を通るもの（検出量に関わる基準線）とによって囲まれる部分（図５（ｂ）における斜線部）の面積を算出し、この面積を用いて検査対象を定量する。
【００８４】
ｄ）次に、本実施例１の検査対象受体３及び検査装置１が奏する効果を説明する。
イ）本実施例１の検査対象受体３は、平坦な部分に比べて表面積が大きい突起部１３を溝１１の内部に備えていので、溝１１に検査対象を供給すると、検査対象と突起部１３との接触面積が大きくなり、突起部１３に検査対象を多く吸着させることができる。そのため、本実施例１の検査対象受体３を用いれば、検査対象を感度良く検査することができる。
【００８５】
ロ）本実施例１の検査対象受体３を回転体５に取り付け、溝１１の内周側に検査対象を供給した状態で検査対象受体３を回転させると、溝１１内の検査対象には遠心力がかかり、外周方向に向けて押し出され、突起部１３にぶつかりながら移動する。このとき、検査対象は、突起部１３にぶつかることにより、突起部１３に効率よく吸着する。従って、本実施例１の検査装置１に依れば、短時間で検査対象を検査対象受体３に吸着させることができ、検査を短時間で行うことができる。
【００８６】
ハ)本実施例１では被供給部が溝１１であるので、検査対象は溝１１の中に供給される。そのため、検査対象を検出するための試薬は溝１１の中のみに塗布すればよいので、使用する試薬の量が少なくて済む。また、突起部１３は溝１１の中のみに形成すればよいので、検査対象受体３の製造が容易である。
【００８７】
ニ）本実施例１の検査対象受体３では複数の溝１１が放射状に形成されており、回転体５の回転中心が放射状の溝１１の中央にあるので、それぞれの溝１１内の検査対象には遠心力が均一にかかる。そのことにより、それぞれの溝１１において同条件で検査対象の検出を行うことができる。
【００８８】
ホ）本実施例１では、溝１１の中には一定の間隔で突起部１３が形成されており、溝１１の幅は外周側（下流側）にゆくほど幅が広なっている。そのため、溝１１の単位長さに含まれる突起部１３の数は外周側にゆくほど多くなっており、溝１１の単位長さに含まれる突起部１３の表面積も外周側にゆくほど大きくなっている。そのことにより、溝１１の外周側では多量の検査対象を突起部１３に吸着させることができ、検査対象が高濃度である場合でも検査対象を希釈することなく、検出することができる。
【００８９】
ヘ）本実施例１では、検査対象受体３の溝１１において外周側にゆくほど溝１１の深さが深くなっており、溝が深い外周側には、高い突起部１３が設けられている。そのため、突起部１３の一個あたりの表面積は、外周側にゆくほど大きくなっており、溝１１の単位長さに含まれる突起部１３の表面積も、外周側にゆくほど大きくなっている。そのことにより、溝１１の外周側では多量の検査対象を突起部１３に吸着させることができ、検査対象が高濃度である場合でも、検査対象を希釈することなく、検出することができる。
【００９０】
ト）本実施例１では、検査対象受体３に突起部１３の高さと、その突起部１３の位置における溝１１の深さとが正比例しているので、溝１１の深さに応じ、突起部１３の高さを溝１１の上方にまで至らせることができる。そのことにより、検査対象が突起部１３の上を乗り越えて移動するようなことがないので、検査対象を効率よく突起部１３に吸着させることができる。その結果として、正確に検査対象を検出できる。
【００９１】
また、溝１１の深さに応じ、突起部１３の高さを溝１１から外に突き出さないようにできるので、溝１１に蓋を被せることができる。そのことにより、溝１１から検出対象がこぼれることを防止できる。
【００９２】
チ）本実施例１では、溝１１は、上述したように、本体部７の中心（すなわち回転体５の回転中心）をＡとし、溝１１の中央を通る直線Ｌ上の任意の点をＢとした場合に、ＡＢを通る直線と、ＢにおけるＬの接線との成す角度θについて、上記式（１）が常に成立するような曲線に形成されている。
【００９３】
このように溝１１を形成すると、溝１１内にある検査対象にかかる遠心力のうち、溝の進行方向への分力は、ＡＢ間の距離に依らず常に一定となる。そのため、溝１１内を移動してゆく検査対象の溝１１に対する移動速度は常に一定となる。そのことにより、溝１１における各位置Ｍ１〜Ｍ１２に吸着する検査対象の量を常に所定のものとすることができる。その結果として、各位置Ｍ１〜Ｍ１２における検査対象の量を正確に検出し、検査対象を正確に定量することができる。
【００９４】
リ）本実施例１の検査対象受体３は円盤状の本体部７を有しているので、金型を用いる方法により容易に製造できる。また、本体部７が円盤状であることにより、回転した際に、溝１１内の検査対象に遠心力がかかり易く、検査対象を迅速に移動させることができる。そのため、本実施例１の検査対象受体３を用いれば検査に要する時間が短くて済む。更に、本体部７が円盤状であることにより、溝１１を形成することができないデッドスペースがないので、本体部７を構成する樹脂が少なくて済む。そのため、本実施例１の検査対象受体３は小型軽量化することができ、また、製造コストが少なくて済む。
【００９５】
ヌ）本実施例１の検査対象受体３は、突起部１３の形状が円筒形状であり、突起部１３が溝１１と一体に形成されているので、突起部１３を加工する時間が短くて済み、製造が容易である。
【００９６】
ル）本実施例１では、突起部１３同士の間隔が８μｍ以下であるので、突起部１３がフィルターとして機能し、８μｍより大きい白血球の好中球、好酸球、好塩基球、単球等を除去することができる。また、突起部１３同士の間隔が２μｍ以上であるので、それより小さい成分が詰まってしまうことがない。
【００９７】
尚、突起部１３の間隔は、０．３〜２μｍとしてもよい。この場合は、突起部１３がやはりフィルターとして機能し、２μｍより大きい赤血球、異物を貪食している白血球、血小板、血球等を除去することができる。また、突起部１３同士の間隔が０．３μｍ以上であるので、それより小さい成分が詰まってしまうことがない。
【００９８】
ヲ）本実施例１の検査対象受体３には、図１に示すように、基準部１４が設けられており、この基準部１４の形状は、それぞれの検査対象受体３ごとに異なるものである。そのため、複数の検査対象受体３を回転体５に付け替えながら使用する場合でも、基準部１４に基づいて特定の検査対象受体３を容易に識別することができる。また、検査対象受体３を回転させた場合に、基準部１４の位置に基づいて、個々の溝１１を識別することができる。尚、基準部１４は、検査対象受体３と一体に形成されているので基準部１４の形成が容易である。
【００９９】
ｅ）次に、本実施例１の検査装置１を用いる検査方法が奏する効果を説明する。
イ）本実施例１では、図５に示すように、溝１１内の各位置Ｍ１〜Ｍ１２での検出値を示す規定線と、基準線とにより囲まれる面積に基づいて検査対象を定量するので、検査対象の濃度に関して測定可能な幅が広い。
【０１００】
つまり、例えば、溝１１内の位置Ｍ１のみにおいて発色の強さを検出しようとすると、図４（ｂ）における規定線Ｓ１やＳ２のように検査対象の濃度が高い場合は、位置Ｍ１において発色の強さが飽和してしまっており、検査対象を定量できない。また、位置Ｍ１２のみにおいて発色の強さを検出しようとすると、図４（ｂ）における規定線Ｓ２〜Ｓ４のように検査対象の濃度が低い場合は、位置Ｍ１２において発色を検出できず、検査対象を定量できない。
【０１０１】
それに対して、本実施例１の検査方法では、位置Ｍ１〜Ｍ１２の各点で発色を検出するので、検査対象の濃度が高い場合（図４（ｂ）における規定線Ｓ１）でも、検査対象の濃度が低い場合（図４（ｂ）における規定線Ｓ４）でも、検査対象を定量できる。
【０１０２】
ロ）本実施例１では、図４（ｂ）における規定線Ｓ１のように、規定線の一部において発色の強さ（検出量）が飽和している場合は、外挿により飽和していない修正規定線を算出し、その修正規定線を用いて面積を画定する。そのため、規定線の一部において発色の強さが飽和している場合でも、検出対象を正確に定量することができる。
【実施例２】
【０１０３】
本実施例２の検査装置１の構成は基本的には前記実施例１と同様であるが、検査対象受体３の構成において一部相違する。この相違点を中心に以下に図６を用いて説明する。
検査対象受体３は、図６（ａ）に示すように、本体部７の上面７ａに、中心孔９から、本体部７の外周端にまで至る一本の螺旋状の溝１１を有している。この溝１１の幅は、本体部７の内周側から外周側に至るまで一定であり、溝１１の深さは、図６（ｂ）に示すように、一定である。
【０１０４】
本実施例２の検査装置１は前記実施例１の検査装置１と同様に使用することができ、同様の効果を奏する。更に、本実施例２の検査装置１では、検査対象受体３の溝１１が特に長いので、長い距離にわたって検査対象を検出することができるので、一層検査対象の検出可能レンジが広く得られる。
【実施例３】
【０１０５】
本実施例３の検査装置１の構成は基本的には前記実施例１と同様であるが、検査対象受体３の構成において一部相違する。この相違点を中心に以下に図７を用いて説明する。
本実施例３では、検査対象受体３の溝１１に、図７（ａ）に示すように、前記実施例１における突起部と同様の突起部１３ａに加えて、側面１１ｂと一体に形成された突起部１３ｂを備えている。この突起部１３ｂは、突起部１３ａをその長手方向に沿った平面で２等分した形状を有している。この突起部１３ｂにおいて、半球形の底面１３ｂ−１は溝１１の底面１１ａ上にあり、長方形の断面１３ｂ−２は溝１１の側面１１ｂ上にある。そして、突起部１３ｂの長手方向は、突起部１３ａの突出方向と同じであり、その高さｈは突起部１３ａの高さと同様である。
【０１０６】
本実施例３の検査装置１は、前記実施例１の検査装置１と同様に使用することができ、同様の効果を奏する。更に、本実施例３では、突起部１３のうちの一部である突起部１３ｂが、溝１１の側面１１ｂと一体に形成されているので、突起部１３ｂが設けられていない場合とは異なり、突起部１３ｂが無い溝１１の両端を検査対象が優先的に流れる恐れがない。加えて、突起部１３ｂが設けられていない場合に比べて、吸着が効率よく行われる。
【実施例４】
【０１０７】
本実施例４の検査装置１の構成は基本的には前記実施例１と同様であるが、検査対象受体３の構成において一部相違する。この相違点を中心に以下に図８を用いて説明する。
本実施例４の検査対象受体３において、液溜まり９は、２つの独立した凹部９ｃ、９ｄを有する。凹部９ｃに繋がる溝１１の一部は、外周方向に行くにつれ、溝１１ｃと溝１１ｄとに分岐している。溝１１ｃには試薬が入る液溜まり１１ｈが溝１１ｃの中心に近い側（中心寄り）で繋がっている。同様に、溝１１ｄには液溜まり１１ｉが溝１１ｄの中心に近い側（中心寄り）で繋がっている。
【０１０８】
このことにより、液溜まり１１ｈと１１ｊに異なる検査試薬を入れることで、液溜まり９ｃの同一検体から同時に２種類の検査測定を行うことができる。つまり、液溜まり９ｃに供給した検査対象は、溝１１ｃを流れる分と溝１１ｄを流れる分とに分かれるので、溝１１ｃを流れる検査対象には液溜まり１１ｈから供給される試薬を用いて検査測定を行い、溝１１ｄを流れる検査対象には液溜まり１１ｉから供給される、液溜まり１１ｈに供給される試薬と異なる試薬を用いて検査測定を行うことができる。この様に、液溜まり９ｃの同一検体から同時に複数の検査を行うことができる。
【０１０９】
また、凹部９ｃに繋がる他の溝１１は、溝１１ｅと溝１１ｆとに分岐していて、分岐前のその溝１１に液溜まり１１ｊが繋がってる。このことにより、溝１１ｅと溝１１ｆに分岐する前の検査対象に液溜まり１１ｊから試薬を供給することができる。
【０１１０】
一方、凹部９ｄに繋がる溝１１についても、液溜まり９ｃに繋がる溝１１と同様に形成されている。また、この様に、複数の検体からも、他種類（多種類）の検査を同時に行うことが可能である。例えば、液溜まり９ｃと９ｄとに、それぞれ別の人の血清（検査対象）を供給しておき、それぞれの血清に対して、同時に検査測定を行うことができる。尚、この様に、検査の方法に合わせて、溝と液溜まりの配置を任意に設計すればよい。
【実施例５】
【０１１１】
本実施例５の検査装置１の構成は基本的には前記実施例１と同様であるが、検査対象受体３の構成において一部相違する。この相違点を中心に以下に図９を用いて説明する。
本実施例５の検査対象受体３は、図９に示すように、本体部７の上面７ａに、上方が開口した断面長方形の溝２７、溝２９、溝３１、及び溝３３を備えている。これらの溝２７、２９、３１、３３の底面には、それぞれ、前記実施例１における溝１１の底面１１ａに突起部１３が設けられているのと同様に、突起部１３が設けられている。
【０１１２】
溝２７は、液溜まり９から、検査対象受体３の半径方向（検査対象受体を回転体５に取り付けた際に、回転軸１７の回転における半径方向となる方向）に伸びる半径方向部２７ａと、半径方向部２７ａよりも下流側において検査対象受体３の周方向（検査対象受体を回転体５に取り付けた際に、回転軸１７の回転における周方向となる方向）に伸びる周方向部２７ｂから成る。
【０１１３】
溝２９は、図９に示すように、液溜まり９から、検査対象受体３の半径方向に伸びる半径方向部２９ａと、半径方向部２９ａよりも下流側において蛇行している蛇行部２９ｂとから成る。
【０１１４】
また、溝３１も、図９に示すように、液溜まり９から検査対象受体３の半径方向に伸びる半径方向部３１ａと、半径方向部３１ａよりも下流側において蛇行している蛇行部３１ｂとから成り、溝３３も、中心孔９から検査対象受体３の半径方向に伸びる半径方向部３３ａと、半径方向部３３ａよりも下流側において蛇行している蛇行部３３ｂとから成る。ただし、溝２９、溝３１では、蛇行の振れ方向が検査対象受体３の半径方向であるのに対し、溝３３では、蛇行の振れ方向が検査対象受体３の周方向である。また、溝２９の半径方向部２９ａと溝３１の半径方向部３１ａは、検査対象受体３の略半径長の長さを有するが、溝３３の半径方向部３３ａの長さは、検査対象受体３の半径長の略１／５である。
【０１１５】
本実施例５における溝２７、２９、３１、３３は、半径方向部に加えて、周方向部または蛇行部をを有しているので、それらの全長が長い。そのことにより、検査対象の吸着量を多くすることができ、検査対象を高感度に検出することができる。
【実施例６】
【０１１６】
本実施例６の検査装置１の構成は基本的には前記実施例１と同様であるが、検査対象受体３の構成において一部相違する。この相違点を中心に以下に図１０を用いて説明する。ここで、図１０（ａ）は検査対象受体３を表す平面図であり、図１０（ｂ）は図１０（ａ）におけるＡ−Ａ断面での断面図である。
【０１１７】
本実施例６の検査対象受体３では、図１０（ａ）に示すように、溝１１は液溜まり９から外周まで直線状に伸長しており、溝１１の幅は、堤部７ｂの幅よりも狭くなっている。また、図１０（ｂ）に示すように、溝１１の側面１１ｂに突起部１３が形成されている。本実施例６における突起部１３は円筒形状を有しており、その突出方向は、溝１１の側面１１ｂに直交する方向であって、底面１１ａに平行な方向である。また、突起部１３の大きさや突起部１３同士の並び方、相互の間隔は前記実施例１と同様である。
【０１１８】
尚、本実施例６における検査対象受体３の本体部７は、２以上の部品を別々に製造しておき、それらの部品を組み立てることで製造してもよい。例えば、本体部７は、図１０（ｂ）における点線７ｄを境界線として、堤部７ｂを別に製造しておき、本体部７（堤部７ｂを除く部分）に差し込むようにしてもよい。あるいは、図１０（ｂ）における一点鎖線７ｅを境界線とする部品を製造しておき、それらを接合することにより本体部７を製造してもよい。これらの方法をとることにより、本体部７の製造時において、金型から離型できない問題が解決される。
【０１１９】
また、本実施例６における突起部１３は、図１１に示すように、溝１１の側面１１ｂから突出する直方体形状のものであってもよい。
更に、本実施例７では、溝１１の側面１１ｂに突起部１３を形成するとともに、前記実施例１と同様に、溝１１の底面１１ａにも突起部１３を形成してもよい。
【実施例７】
【０１２０】
本実施例７の検査装置１の構成は基本的には前記実施例１と同様であるが、検査対象受体３の構成において一部相違する。この相違点を中心に図１２及び図１３を用いて説明する。
【０１２１】
検査対象受体３は、図１２に示すように、本体部７の上面７ａにかぶせることができる蓋３５を備えている。この蓋３５は円盤形状であり、本体部７と同じ直径を有する。この蓋３５を取り付けたとき、図１３（ａ）に示すように、検査対象受体３の溝１１における上方の開口部は蓋３５により閉じられる。
【０１２２】
尚、本実施例７では、突起部１３を溝１１の底面１１ａに形成する代わりに、図１３（ｂ）に示すように、蓋３５の下面３５ｂから下向きに突出するように形成してもよい。この場合、突起部１３は、蓋３５を本体部７に取り付けた際に溝１１に入り込むような位置に設けられる。また、突起部１３の高さは、蓋３５を本体部７に取り付けた際に、突起部１３の先端が溝１１の底面１１ａ付近に達する高さとすることができる。その他、突起部１３の形状、直径、突起部１３同士の間隔は前記実施例１と同様とすることができる。
【０１２３】
また、突起部１３は、図１３（ｃ）に示すように、溝１１の底面１１ａから上向きに突出するように形成するとともに、蓋３５の下面３５ｂから下向きに突出するように形成してもよい。
【０１２４】
本実施例７の検査対象受体３は、溝１１に生体材料や試薬等を供給する際には蓋３５を外しておき、検査対象受体３を回転させるときには蓋３５を取り付けることができる。このことにより、検査対象受体３を回転させたときに、生体材料や試薬が飛び散ることを防止できる。また、蓋３５に、生体材料や試薬を供給するための供給口３５ａを、例えば液溜まり９の上方に設けておいてもよい。
【実施例８】
【０１２５】
本実施例８の検査装置１の構成は基本的には前記実施例１と同様であるが、検査対象受体３の構成において一部相違する。この相違点を中心に以下に図１４を用いて説明する。ここで、図１４（ａ）は検査対象受体３を表す平面図であり、図１４（ｂ）は図１４（ａ）におけるＡ−Ａ断面での断面図である。
【０１２６】
本実施例８では、検査対象受体３を構成する円盤状の本体部７における上面７ａは、図１４（ａ）に示すように、液溜まり９と、その液溜まり９を除く領域全体である被供給部３７とから成る。そして、被供給部３７の全体にわたって、図１４（ｂ）に示すように、突起部１３が形成されている。この突起部１３の形状、大きさ、配列の仕方、突起部１３同士の間隔は、前記実施例１において溝１１の中に形成されている突起部１３と同様である。また、突起部１３の高さは、被供給部３７の全体にわたって同一とすることができる。
【実施例９】
【０１２７】
本実施例９の検査装置１の構成は基本的には前記実施例１と同様であるが、検査対象受体３の構成において一部相違する。この相違点を中心に以下に図１５を用いて説明する。ここで、図１５（ａ）は検査対象受体３を表す平面図であり、図１５（ｂ）及び図１５（ｃ）は図１５（ａ）におけるＡ−Ａ断面での断面図である。
【０１２８】
本実施例９の検査対象受体３には、溝１１の代わりに、図１５（ａ）に示す被供給部３９が形成されている。この被供給部３９は、図１５（ｂ）に示すように、本体部７の上面７ａ上に立設された一対の堤部３９ａと、それら一対の堤部３９ａの上部に取り付けられた板状の蓋３９ｂとから成る。生体材料や試薬は、堤部３９ａ及び蓋３９ｂにより囲まれた通路３９ｃを通る。
【０１２９】
尚、本実施例９における被供給部３９は、図１５（ｃ）に示すように、下方が開口した断面コの字型の部材を本体部７の上面７ａに取り付けて形成してもよい。
このことにより、検査対象受体３を回転させたときに、生体材料や試薬が飛び散ることを防止できる。蓋３９ｂには、生体材料や試薬を供給するための供給口を設けておく。
【実施例１０】
【０１３０】
本実施例１０の検査装置１の構成は基本的には前記実施例１と同様であるが、検査対象受体３の構成において一部相違する。この相違点を中心に以下に図１６を用いて説明する。
【０１３１】
本実施例１０では、図１６（ａ）に示すように、検査対象受体３の本体部７が円錐形状を有しており、その円錐における頂点に、液溜まり９が形成されている。そして、溝１１は、液溜まり９から、円錐の側面上を、外周に向かってまっすぐに伸長している。ここで、溝１１は、液溜まり９から外周に向かうときは下り勾配となっている。
【０１３２】
また、本実施例１０では、本体部７の形状を、図１６（ｂ）に示すように、断面が凹部となった半球形状にしてもよい。液溜まり９は、凹部の中心に形成されており、溝１１は、液溜まり９から、半球の内面を外周に向かってまっすぐ伸長している。ここで、溝１１は、液溜まり９から外周に向かうときは登り勾配となっている。
【０１３３】
本実施例１０では、検査対象受体３が図１６（ａ）〜１６（ｂ）に示すような立体的形状を有するので、検査対象受体３を固定するためのチャック部１５（図１参照）は、その立体的形状に応じた形状を有している。
【０１３４】
尚、本発明は前記実施例になんら限定されるものではなく、本発明を逸脱しない範囲において種々の態様で実施しうることはいうまでもない。
例えば、前記実施例において、溝１１の深さは、検査対象受体の内周側から外周側にかけて一定としてもよい。この場合、溝１１の中にある検査対象の深さも一定となるので、透過光を用いて検出対象を検出する場合に、検査対象を正確に検出することができる。
【０１３５】
また、前記実施例において、検査対象受体３の本体部７における底部の厚み（溝１１の底面１１ａから本体部７の下面７ｃまでの厚み）は、図２（ｃ）に示すように、内周から外周にかけて一定でもよい。
【０１３６】
また、前記実施例において、突起部１３の高さを溝１１内での位置によらず一定とし、突起部１３の１個あたりの表面積を一定にしてもよい。
また、前記実施例において、突起部１３は、溝１１の底面１１ａに直交する方向に突出させてもよい。この場合、検査対象受体３の製造が容易である。
【０１３７】
また、前記実施例において、検査対象受体３の中心部に液溜まり９を形成しているが、その部分を貫通させてチャック部１５への取り付け部とし、その周囲に液溜まり９のような供給部を形成してもよい。また、溝１１を全て分離し、それぞれに液溜まり９を設けてもよい。
【０１３８】
前記実施例において、検査対象受体３を製造するための金型は、リソグラフィーによって形成する方法の他に、薬剤若しくはプラズマによるエッチングや工具による切削などの削り取り行程により形成してもよい。尚、リソグラフィーは紫外線以外を用いるものであってもよい。
【０１３９】
前記実施例において、供給部分としての液溜まり９に突部９ａ及び凹部９ｂを形成し、検査対象受体３の中央において突部を有して、部分的に盛り上がりを形成するので、液溜まり９に供給された検査対象が検査対象受体３の回転中心となる部分からずれ、その検査対象受体３の回転による遠心力が検査対象に作用して、深い液溜まりであっても、検査対象が確実に移動されることができる。しかし、検査対象が検査対象受体３の回転中心となる部分からずれるのであれば、突部９ａのみでも良い。
【０１４０】
また、突起部１３を設けられた領域と突部９ａが設けられた領域との間の凹み部９ｂを連続したなだらかな傾斜に形成し、突部９ａと突起部１３が設けられた領域との間が連続的に傾斜しているので、液溜まり９に供給された検査対象が遠心力によって移動される際に、その突部９ａと突起部１３が設けられた領域との間に段差が形成された構成に比べ、円滑に検査対象が移動することができる。しかし、液溜まり９に供給された検査対象が遠心力によって移動されるのであれば、その突部９ａと突起部１３が設けられた領域との間に段差などの不連続部分を設けても良い。
【０１４１】
また、前記実施例における構成では、図１８（ａ）に示すように、検査対象受体３の外周側面に、溝１１の端部の開口部を設けているが、図６（ａ）に波線で示すように、検査対象受体３の上面又は下面に溝１１の端部の開口部５００を設けても良い。このように、検査対象受体３の上面又は下面に開口部５００を設ける構成において、図１８（ｂ）及び図１８（ｃ）に示すように、その溝１１を直角に曲げて上方又は下方の少なくとも一方にて開口部５００に至るように形成しても良いが、図１８（ｄ）に示すように、順に（なだらかに曲がりつつ）上方又は下方に向けて溝１１が伸長し、開口部５００に至るようにしても良い。
【０１４２】
また、前記実施例における構成では、検査対象や試薬を検査対象受体３の外部へ排出しているが、溝１１の端部（外周側）に液溜まりを設けて、検査対象や試薬を溜めて、飛散を防止しても良い。この構成においても、この溝１１の外周側の液溜まりには、空気抜けの開口が同様に設けられている。即ち、検査対象や試薬を検査対象受体３の外部に必ずしも排出する必要はない。
【図面の簡単な説明】
【０１４３】
【図１】検査装置の回転部分の構成を表す側面図である。
【図２】（ａ）は検査対象受体の構成を表す平面図であり、（ｂ）及び（ｃ）はＡ−Ａ断面における断面図である。
【図３】突出部１３を表す説明図である。
【図４】検査装置を用いる検査方法を表す説明図である。
【図５】検査装置を用いる検査方法を表す説明図である。
【図６】（ａ）は検査対象受体の構成を表す平面図であり、（ｂ）はＡ−Ａ断面における断面図である。
【図７】（ａ）は検査対象受体の構成を表す平面図であり、（ｂ）は溝及び突起部の構成を表す斜視図である。
【図８】検査対象受体の構成を表す平面図である。
【図９】検査対象受体の構成を表す平面図である。
【図１０】（ａ）は検査対象の構成を表す平面図であり、（ｂ）はＡ−Ａ断面における断面図である。
【図１１】検査対象受体の構成を表す斜視図である。
【図１２】検査対象受体の構成を表す断面図である。
【図１３】検査対象受体の構成を表す断面図である。
【図１４】（ａ）は検査対象の構成を表す平面図であり、（ｂ）はＡ−Ａ断面における断面図である。
【図１５】（ａ）は検査対象の構成を表す平面図であり、（ｂ）及び（ｃ）はＡ−Ａ断面における断面図である。
【図１６】検査対象受体の構成を表す斜視図である。
【図１７】検査対象受体における溝の構成を表す側断面図である。
【符号の説明】
【０１４４】
１・・・検査装置の回転部分
３・・・検査対象受体
５・・・回転部
７・・・本体部
７ａ・・・上面
７ｂ・・・堤部
９・・・液溜まり
１１・・・溝
１１ａ・・・底面
１１ｂ・・・側面
１３・・・突起部
１４・・・基準部
１５・・・チャック部
１７・・・回転軸
１９・・・回転モーター
２１・・・軸受け
３５・・・  蓋
【図１】
2005257337.tif 000003
【図２】
2005257337.tif 000004
【図４】
2005257337.tif 000005
【図５】
2005257337.tif 000006
【図６】
2005257337.tif 000007
【図７】
2005257337.tif 000008
【図８】
2005257337.tif 000009
【図９】
2005257337.tif 000010
【図１０】
2005257337.tif 000011
【図１１】
2005257337.tif 000012
【図１２】
2005257337.tif 000013
【図１３】
2005257337.tif 000014
【図１４】
2005257337.tif 000015
【図１５】
2005257337.tif 000016
【図１６】
2005257337.tif 000017
【図１７】
2005257337.tif 000018
【図３】
2005257337.tif 000019